(57)【要約】      （修正有）【課題】一つの本体を、複数のマッサージ器と組み合わせて多用途を実現できる分離互換式手・足部マッサージ器を提供する。【解決手段】主体１０とマッサージ器を含み、マッサージ器が、手部マッサージ器と足部マッサージ器２０を含み、それぞれ着脱式で主体に取り付けられる。主体は、上カバー、台座、吸気・排気装置及び手・足部マッサージ器装置を含み、上カバーが台座にしっかりと結合し、上カバーに、内へ凹む埋め込み溝が設置され、吸気・排気装置は、第一接続部を含み、第一接続部は組み込み溝から伸びだす。手部・足部マッサージ器は、上カバー、底カバー及びエアバッグ素子を含み、エアバッグ素子に第二エアパイプが接続され、第二エアパイプの先端に一つのコネクターが接続される。底カバーには固定ブロックが設置され、コネクターは固定ブロック内に取り付けられる。【選択図】図２
0003223217.tif 000002
【実用新案登録請求の範囲】
【請求項１】
主体とマッサージ器を含み、
前記マッサージ器が、手部マッサージ器と足部マッサージ器を含み、前記手部マッサージ
器と前記足部マッサージ器が、着脱可能なように前記主体に取り付けられており、
前記主体が、上カバー、主体台座、吸気・排気装置及び手・足部マッサージ器を含み、前
記主体の前記上カバーが前記主体台座と結合し、前記主体の前記上カバーの手部・足部マ
ッサージ器を向く面において、内へ凹む埋め込み溝が設置され、前記吸気・排気装置が、
第一接続部を含み、前記第一接続部が前記埋め込み溝がら伸び出し、前記手部・足部マッ
サージ器が、前記主体の前記上カバーと前記主体台座との間に位置しており、
前記手部・足部マッサージ器が、マッサージ器の上カバー、マッサージ器の底カバー及び
エアバッグ素子を含み、前記マッサージ器の上カバーが前記マッサージ器の底カバーと結
合し、前記エアバッグ素子が、前記マッサージ器の上カバーと前記マッサージ器の底カバ
ーとの間に設置され、且つ、前記エアバッグ素子と前記マッサージの上カバーに開口が設
置されており、前記エアバッグ素子に、第二エアパイプが接続され、前記第二エアパイプ
の先端に一つのコネクターが接続されており、
前記マッサージ器の底カバーにおける主体を向く面に、外へ突出する固定ブロックが設置
され、前記コネクターが前記固定ブロック内に固定されて取り付けられており、前記手部
・足部マッサージ器が前記主体と組み立てられる場合、前記マッサージ器の底カバー上の
前記固定ブロックが前記主体の上カバーの埋め込み溝内に嵌め込まれ、且つ、前記第一接
続部が前記コネクターに接続する、
ことを特徴とする単独に使用される分離互換式手・足部マッサージ器。
【請求項２】
前記手部・足部マッサージ器が、モータ、ウォーム、二重ギア、ギアロータリー及びエジ
ェクター・マッサージヘッドを含み、
前記モータが、前記主体台座に固定され、前記ウォームがモータ軸先端に固定されて接続
され、前記二重ギア及び前記ギアロータリーが回転可能に前記主体台座に取り付けられ、
前記ギアロータリーの外側壁に外ギアが設置され、前記二重ギアの中の一つのギアが前記
ウォームとかみ合い、前記二重ギアの他のギアが、前記ギアロータリーの前記外ギアとか
み合い、
前記ギアロータリーの端面は起伏するカム面であり、前記エジェクター・マッサージヘッ
ドの底部の円弧面が、前記ギアロータリーの端面に接触し、前記主体の上カバーの複数の
丸い穴が設置され、前記エジェクター・マッサージヘッドの頂部が、前記丸い穴から伸び
出す、
ことを特徴とする請求項2に記載の単独に使用される分離互換式手・足部マッサージ器。
【請求項３】
前記主体の上カバーと前記主体台座との間に、スプリング・プローブが設置され、前記ス
プリング・プローブが前記主体の上カバーの埋め込み溝内に伸び出し、
前記マッサージ器の底カバーに導電接触点が固定され、前記導電接触点が前記マッサージ
器の前記固定ブロック内に伸び出し、前記手部・足部マッサージ器が前記主体と組み立て
られる場合、前記スプリングプローブが、前記導電接触点に接触する、
ことを特徴とする請求項2に記載の単独に使用される分離互換式手・足部マッサージ器。
【請求項４】
前記吸気・排気装置が、バッテリ、エアポンプ、第一エアパイプ、ソレノイドバルブ及び
主PCBを含み、
前記バッテリ及び前記エアポンプが主PCB板に電気的に接続し、前記エアポンプ、前記バ
ッテリ及び前記ソレノイドが前記主体台座に固定され、前記ソレノイドバルブが入口及び
出口を有し、前記ソレノイドバルブの入口が前記エアポンプに接続し、前記ソレノイドバ
ルブの出口が、前記第一エアパイプを通じて第一継ぎ手に接続する、
ことを特徴とする請求項1に記載の単独に使用される分離互換式手・足部マッサージ器。
【請求項５】
前記吸気・排気装置が、ボタンPCB板を含み、前記ボタンPCB板がエアバッグの前カバーに
取り付けられ、前記ボタンPCB板が前記導電接触点に電気的に接続し、前記ボタンPCB板に
、ボタンが設置され、マッサージ器上のカバーに、対応するボタンが設置されていること
を特徴とする請求項4に記載の単独に使用される分離互換式手・足部マッサージ器。
【請求項６】
前記エアバッグ素子が、エアバッグ前カバー、エアバッグ本体及びエアバッグ底カバーを
含み、前記エアバッグ前カバーが、前記エアバッグ底カバーと結合し、収容キャビティを
形成し、前記エアバッグ本体が前記収容キャビティ内に設置されていることを特徴とする
請求項1に記載の単独に使用される分離互換式手・足部マッサージ器。
【請求項７】
前記エアバッグ素子が、エアバッグ弾性布スリーブを含み、
前記エアバッグ弾性布スリーブが、前記エアバッグ底カバーと前記エアバッグ前カバー内
部に固定され、前記エアバッグ本体が、前記エアバッグ弾性布スリーブに貼り付けられ、
且つ、前記エアバッグ底カバーと前記エアバッグ本体の間に位置することを特徴とする請
求項6に記載の単独に使用される分離互換式手・足部マッサージ器。
【請求項８】
前記手部マッサージ器の開口が頂部に位置していることを特徴とする請求項1に記載の単
独に使用される分離互換式手・足部マッサージ器。
【請求項９】
前記足部マッサージ器の開口が側面壁に位置していることを特徴とする請求項1に記載の
単独に使用される分離互換式手・足部マッサージ器。
【請求項１０】
前記主体台座に、ドーナツ形バックルが取り付けられ、前記手部・足部マッサージ器が、
前記ドーナツ形バックルを通じて、前記主体に固定されていることを特徴とする請求項1
に記載の単独に使用される分離互換式手・足部マッサージ器。
【考案の詳細な説明】
【技術分野】
【０００１】
マッサージ器装置技術分野に関わり、さらに具体的に言うと、単独に使用される分離互
換式手・足部マッサージ器に関わる。
【背景技術】
【０００２】
既存の手部マッサージ器構造は、主にエアポンプ、ソレノイドバルブとエアバッグから構
成され、エアポンプの排出端が、ソレノイドの入力端に接続し、ソレノイドバルブの排出
端がエアバッグの吸気管に接続する。エアポンプが空気を入れる時に、エアがソレノイド
バルブを通してエアバッグに入り、エアバッグが膨れる。もう一方、ソレノイドの排気口
が開くと、エアバッグ内の空気が排出され、エアバッグが収縮する。エアポンプの空気入
れ頻度及びソレノイドバルブの排気頻度を制御することによって、エアバッグは、一定の
頻度で膨れて収縮し、このプロセスを繰り返す。エアバッグの膨張と収縮を通じて手部を
押し付けてマッサージ体験を取得する。このタイプのマッサージ器のすべての部品が一揃
いの殻に装入されているので、自由に分解することができず、手部マッサージの目的しか
使用できない。
【考案の概要】
【０００３】
本考案の目的は、前記技術の不足点を有効に克服し、単独に使用される分離互換式手・足
部マッサージ器を提供することである。このマッサージ器は、主体とマッサージ器という
二つの部分から構成され、自由的な分解と組み合わせを実現できて、異なる部位に対する
マッサージを行うことができるようになる。
【０００４】
本考案の三つ目の技術案は下記の通りである。単独に使用される分離互換式手・足部マッ
サージ器であり、その改善点が下記の通りである。主体とマッサージ器を含み、前記マッ
サージ器が、手部マッサージ器と足部マッサージ器を含み、前記手部マッサージ器と足部
マッサージ器が、着脱式で主体に取り付けられている。
【０００５】
前記主体が、上カバー、主体台座、吸気・排気装置及び手・足部マッサージ器を含み、主
体の上カバーが主体台座にしっかりと結合し、主体の上カバーの手部又は足部マッサージ
器に向ける面において、内へ凹む埋め込み溝が設置され、前記吸気・排気装置が、第一接
続部を含み、第一接続部が前記組み込み溝がら伸びだし、前記手部・足部マッサージ器が
、主体上カバーと主体台座との間に位置している。
【０００６】
前記手部・足部マッサージ器が、マッサージ器の上カバー、マッサージ器底カバー及びエ
アバッグ素子を含み、前記マッサージ器の上カバーがマッサージ器の底カバーとしっかり
と結合し、エアバッグ素子が、マッサージ器の上カバーとマッサージ器の底カバーとの間
に設置され、且つ、エアバッグ素子とマッサージの上カバーに皆開口が設置されている。
前記エアバッグ素子に、第二エアパイプが接続され、第二エアパイプの先端に一つのコネ
クターが接続されている。
【０００７】
前記マッサージ器の底カバーにおける主体に向ける面に、外へ突出する固定ブロックが設
置され、前記コネクターが固定ブロック内に固定されて取り付けられるので、手部・足部
マッサージ器が主体と組み立てられる場合、マッサージ器の底カバー上の固定ブロックが
主体の上カバーの埋め込み溝内に嵌め込み、且つ、第一接続部がコネクターに接続する。
【０００８】
前記構造の中で、前記手部・足部マッサージ器が、モータ、ウォーム、二重ギア、ギアロ
ータリー及びエジェクター・マッサージヘッドを含む。
【０００９】
前記モータが、主体台座にしっかりと固定され、ウォームがモータ軸先端に固定されて接
続され、前記二重ギア及びギアロータリーが回転的に主体台座に取り付けら、ギアロータ
リーの外側壁に外ギアが設置され、前記二重ギアの中の一つのギアがウォームとかみ合い
、二重ギアのその他のギアが、ギアロータリーの外ギアとかみ合い、
前記ギアロータリーの端面が起伏するのカム面であり、前記エジェクター・マッサージヘ
ッドの底部の円弧面が、ギアロータリーの端面に接触し、前記主体の上カバーの複数の丸
い穴が設置され、エジェクター・マッサージヘッドの頂部が、丸い穴から伸びだす。
【００１０】
前記構造の中で、前記主体の上カバーと主体の台座との間に、またスプリング・プローブ
が設置され、スプリング・プローブが主体の上カバーの埋め込み溝内に伸びだす。
【００１１】
前記マッサージ器の底カバーにまた導電接触点が固定され、導電接触点がマッサージ器の
固定ブロック内に伸びだす。手部・足部マッサージ器が主体と組み立てられる場合、スプ
リングプローブが、導電接触点に接触する。
【００１２】
前記構造において、前記吸気・排気装置が、バッテリ、エアポンプ、第一エアパイプ、ソ
レノイドバルブ及び主PCBを含む。
【００１３】
前記バッテリ及びエアポンプが皆主PCB板に電気的に接続し、前記エアポンプ、バッテリ
及びソレノイドが皆主体台座に固定され、前記ソレノイドバルブが入口及び出口を有し、
入口がエアポンプに接続し、ソレノイドバルブの出口が、第一エアパイプを通じて第一継
ぎ手に接続する。
【００１４】
前記構造において、前記吸気・排気装置が、ボタンPCB板も含み、ボタンPCB板が主体台座
に固定され、当該ボタンPCB板が主PCB板に電気的に接続する。前記ボタンPCB板に、ボタ
ンパネルが設置され、主体に、相応なボタンが設置されている。
【００１５】
前記構造において、前記台座に、ドーナツ形バックルが取り付けられ、手部・足部マッサ
ージ器が、当該ドーナツ形バックルを通じて、主体に固定されている。
【００１６】
前記構造において、前記エアバッグ素子が、エアバッグ前カバー、エアバッグ本体及びエ
アバッグ底カバーを含み、前記エアバッグ前カバーが、エアバッグ底カバーとしっかりと
結合して、収容キャビティを形成し、前記エアバッグ本体が収容キャビティ内に設置され
ている。
【００１７】
前記構造において、前記エアバッグ素子が、エアバッグ・カバーとエアバッグの支持板も
含む。
【００１８】
前記エアバッグ支持板が、エアバッグ底カバーに固定され、且つ、エアバッグの底カバー
とエアバッグ本体の間に位置し、前記エアバッグのカバープレートが、エアバッグ本体に
貼り付けられ、且つ、エアバッグ本体とエアバッグの前カバーとの間に位置する。
【００１９】
前記構造において、前記手部マッサージ器の開口が頂部に位置している。
【００２０】
前記構造において、前記足部マッサージ器の開口が側面壁に位置している。
【００２１】
前記構造において、前記台座に、ドーナツ形バックルが取り付けられ、手部・足部マッサ
ージ器が、当該ドーナツ形バックルを通じて、主体に固定されている。
【００２２】
本考案の有益な効果は、下記の通りである。手部マッサージ器を取り付けた後、主体の駆
動を通じて、手部マッサージ器が人体の手部をマッサージするように駆動する。足部マッ
サージ器に切り替える時に、直接に手部マッサージ器を取り外して、足部マッサージ器を
主体に取り付けた後、足部をマッサージすることができる。従って、主体とマッサージ器
との自由的な分解と組み合わせを実現でき、一つの本体を、複数のマッサージ器と組み合
わせることができるので、一台の機器の多用途を実現することができるようになる。
【図面の簡単な説明】
【００２３】
【図１】本考案における単独に使用される分離互換式手・足部マッサージ器の第一実施形態の図である。
【図２】本考案における単独に使用される分離互換式手・足部マッサージ器の第一実施形態の図である。
【図３】本考案における単独に使用される分離互換式手・足部マッサージ器の第二実施形態の図である。
【図４】本考案における単独に使用される分離互換式手・足部マッサージ器の第二実施形態の図である。
【図５】本考案における単独に使用される分離互換式手部・足部マッサージ器の足部マッサージ器の構造模式図である。
【図６】本考案における単独に使用される分離互換式手部・足部マッサージ器の本体分解模式図である。
【図７】本考案における単独に使用される分離互換式手部・足部マッサージ器の手部マッサージ器の分解模式図である。
【図８】本考案における単独に使用される分離互換式手部・足部マッサージ器の手部エアバッグ素子の分解模式図である。
【考案を実施するための形態】
【００２４】
次に添付図と結びづいて本考案の具体的な実施形態を更に説明する。
【００２５】
図1〜図4を参照すると、本考案は、単独に使用される分離互換式手・足部マッサージ器を
開示し、具体に言うと、主体10とマッサージ器を含み、前記マッサージ器が、手部マッサ
ージ器30と足部マッサージ器20を含み、前記手部マッサージ器30又は足部マッサージ器20
が、着脱式で主体10に取り付けられている。図1と図2に述べられている実施形態において
、前記マッサージ器が、足部マッサージ器20であり、図3、図4及び図5に述べられている
実施形態において、前記マッサージ器が、手部マッサージ器30である。この二つの具体的
な実施形態において、主体10の構造が完全に同じで、異なる箇所が、手部マッサージ器30
と足部マッサージ器20だけであり、その中で、前記手部マッサージ器30の開口が頂部に位
置し、前記足部マッサージ器20の開口が側面壁に位置している。本実施形態において、手
部マッサージ器30を例として詳細に説明する。
【００２６】
前記の実施形態において、図6で示すように、前記主体10が、主主体の上カバー101、主体
台座102及び吸気・排気装置を含み、主体の上カバー101が主体台座102にしっかりと結合
し、主体の上カバー101における手部マッサージ器20又は足部マッサージ器30に向ける面
において、内へ凹む埋め込み溝103が設置され、前記吸気・排気装置が、第一接続部104を
含み、第一接続部104が前記組み込み溝103がら伸びだす。図7で示すように、前記手部・
足部マッサージ器30が、マッサージ器の上カバー301、マッサージ器底カバー302及びエア
バッグ素子303を含み、前記マッサージ器の上カバー301がマッサージ器の底カバー302と
しっかりと結合し、エアバッグ素子303が、マッサージ器の上カバー301とマッサージ器の
底カバー302との間に設置され、且つ、エアバッグ素子303とマッサージの上カバー301に
皆開口307が設置されている。前記エアバッグ素子303に、第二エアパイプ304が接続され
、第二エアパイプ304の先端に一つのコネクター305が接続されている。図5で示すように
、前記マッサージ器の底カバー302における主体10に向ける面に、外へ突出する固定ブロ
ック306が設置され、前記コネクター305が固定ブロック306内に固定されて取り付けられ
るので、手部・足部マッサージ器30が主体10と組み立てられる場合、マッサージ器の底カ
バー302上の固定ブロック306が主体の上カバー101の埋め込み溝103内に嵌め込み、且つ、
第一接続部104がコネクター305に接続する。
【００２７】
更に、前記の実施形態において、前記主体の上カバー101と主体の台座102との間に、また
スプリング・プローブ105が設置され、スプリング・プローブ105が主体の上カバー101の
埋め込み溝103内に伸びだす。前記マッサージ器の底カバー302にまた導電接触点106が固
定され、導電接触点106がマッサージ器の固定ブロック306内に伸びだす。手部マッサージ
器20・足部マッサージ器30が主体10と組み立てられる場合、スプリングプローブ105が、
導電接触点106に接触する。スプリングプローブ105と導電接触点106との接触を通じて、
一つの信号を作り出し、当該信号が存在する前提の下だけで、マッサージ器を正常に起動
することができ、これで、マッサージ器の安全性能を向上することができる。
【００２８】
前記主体台座102に、またドーナツ形バックル107が取り付けられ、手部マッサージ器20・
足部マッサージ器30が、当該ドーナツ形バックル107を通じて、主体10に固定されている
。足部マッサージ器20を取り付けた後、主体10の駆動を通じて、足部マッサージ器20が人
体の足部をマッサージするように駆動する。手部マッサージ器30に切り替える時に、直接
に足部マッサージ器20を取り外して、手部マッサージ器30を主体10に取り付けた後、手部
をマッサージすることができる。従って、主体10とマッサージ器との自由的な分解と組み
合わせを実現でき、一つの本体10を、複数のマッサージ器と組み合わせることができるの
で、一台の機器の多用途を実現することができるようになる。
【００２９】
前記主体が、手・足部マッサージ器も含み、図6で示すように、手部・足部マッサージ器
が、主体の上カバーと主体台座との間に位置している。前記手部マッサージ器が、モータ
501、ウォーム502、二重ギア503、ギアロータリー504及びエジェクター・マッサージヘッ
ド505を含む。前記モータ501が、主体台座102にしっかりと固定され、ウォーム502がモー
タ軸先端に固定されて接続され、前記二重ギア503及びギアロータリー504が回転的に主体
台座102に取り付けら、ギアロータリー504の外側壁に外ギアが設置され、前記二重ギア50
3の中の一つのギアがウォーム502とかみ合い、二重ギア503のその他のギアが、ギアロー
タリー504の外ギアとかみ合い、前記ギアロータリー504の端面が起伏するのカム面であり
、前記エジェクター・マッサージヘッド505の底部の円弧面が、ギアロータリー504の端面
に接触し、前記主体の上カバー101に、複数の丸い穴が設置され、エジェクター・マッサ
ージヘッド505の頂部が、丸い穴から伸びだす。モータ501が回転することによって、ウォ
ーム502、二重ギア503とギアロータリー504を動かして回転させ、エジェクターマッサー
ジヘッド505が丸い穴506内に挿入され、且つ上下に滑ることができる。本実施形態におい
て、前記エジェクターマッサージヘッド505が合計15個あり、ギアロータリー504の突起箇
所に接触するエジェクター・マッサージヘッド505が突き上げられ、ギアロータリー504の
凹み箇所に接触するエジェクター・マッサージヘッド505が落下する。手部マッサージ器3
0・足部マッサージ器20が主体10と組み立てられた後、15個エジェクター・マッサージヘ
ッドがマッサージ器底部開口507内に挿入され、人体たなごころ又は足の裏に接触し、ギ
アロータリーが循環回転を行う時に、15個のエジェクター・マッサージヘッドが相次いで
突き上げられて落下し、これを繰り返し、エジェクター・マッサージヘッドが突き上げら
れる時にたなごころ又は足の裏に叩き、マッサージ体験を取得する。
【００３０】
前記吸気・排気装置に対して、図6で示すように、本考案は、一つの具体的な実施形態を
提供した。前記吸気・排気装置が、バッテリ401、エアポンプ402、第一エアパイプ403、
ソレノイドバルブ404及び主PCB板405を含む。前記バッテリ401及びエアポンプ402が皆主P
CB板405に電気的に接続し、前記エアポンプ402、バッテリ401及びソレノイド404が皆主体
台座102に固定され、前記ソレノイドバルブ404が入口及び出口を有し、入口がエアポンプ
402に接続し、ソレノイドバルブ404の出口が、第一エアパイプ403を通じて第一継ぎ手104
に接続する。更に、前記吸気・排気装置が、又ボタンPCB板406も含み、ボタンPCB板406が
エアバッグの前カバー3031に取り付けられ、当該ボタンPCB板406が導電接触点106に電気
的に接続する。前記ボタンPCB板406に、ボタンが設置され、ボタンPCB板406に、ボタンパ
ネル407が設置され、ボタンパネル407がマッサージ器の上カバー301に貼り合わせ、且つ
、ボタン408が設置されて、PCB板406でのボタンと対応する。
【００３１】
手部マッサージ器30・足部マッサージ器20が主体10と組み立てられた後、スプリングプロ
ーブ105と導電接触点106との接触を通じて生じる信号を、PCB板405に発送した後、主PCB
板405がスタンバイ状態に入り、ボタンパネル407を通じて、主体10に対する制御を実現す
る。エアポンプ402が開く時に、空気がソレノイドバルブ404を通して第一エアパイプ403
に入るか、又は第一接続部104を通じてコネクター305に接続して空気を第二エアパイプ30
4に伝送し、且つ、エアバッグ素子303に入り、エアバッグ素子303が膨れる。もう一方、
ソレノイドバルブ404の排気口が開くと、エアバッグ素子303の中の空気を排出し、エアバ
ッグが収縮し、エアポンプ402の空気入れ頻度及びソレノイドバルブ404の排気頻度を制御
することによって、エアバッグ素子303が、一定の頻度で膨れて収縮し、このプロセスを
繰り返す。エアバッグ素子303を通じて、人体の関連部位を押し付けてマッサージ体験を
取得する。
【００３２】
図8で示すように、前記エアバッグ素子303に対して、本考案は、一つの具体的な実施形態
を提供した。前記エアバッグ素子303が、エアバッグ前カバー3031、エアバッグ本体3032
及びエアバッグ底カバー3033を含み、前記エアバッグ前カバー3031が、エアバッグ底カバ
ー3033としっかりと結合して、収容キャビティを形成し、前記エアバッグ本体3032が収容
キャビティ内に設置されている。更に、前記エアバッグ素子303が、エアバッグ弾性布ス
リーブ3034も含み、エアバッグ本体3032が、エアバッグ弾性布スリーブ3034に貼り付けら
れる。前記エアバッグ弾性布スリーブ3034が、エアバッグ底カバー3033とエアバッグ前カ
バー3031内部に固定されている。この構造のエアバッグ素子303は、安定な構造を有して
いる。エアバッグ弾性布スリーブ3034の存在により、エアバッグ本体3032排気後原始状態
に回復でき、これでユーザ体験及び製品の耐用期間を向上することができる。
【００３３】
前記述べたものは、本考案の比較に良い実施形態だけであり、前記の具体的な実施例は、
本考案に対する制限ではない。本考案の技術的思想の範疇内において、各種の変形及び修
正を行うことができる。本分野における普通技術者により、以上の説明に従って実施され
る修飾、修正又は同等な項目置換は、皆本考案の保護範囲に属する。
【図１】
0003223217.tif 000003
【図２】
0003223217.tif 000004
【図３】
0003223217.tif 000005
【図４】
0003223217.tif 000006
【図５】
0003223217.tif 000007
【図６】
0003223217.tif 000008
【図７】
0003223217.tif 000009
【図８】
0003223217.tif 000010
【手続補正書】
【提出日】令和1年7月23日(2019.7.23)
【手続補正１】
【補正対象書類名】実用新案登録請求の範囲
【補正対象項目名】全文
【補正方法】変更
【補正の内容】
【実用新案登録請求の範囲】
【請求項１】
主体とマッサージ器を含み、
前記マッサージ器が、手部マッサージ器と足部マッサージ器を含み、前記手部マッサージ
器と前記足部マッサージ器が、着脱可能なように前記主体に取り付けられており、
前記主体が、上カバー、主体台座、吸気・排気装置及び手・足部マッサージ器を含み、前
記主体の前記上カバーが前記主体台座と結合し、前記主体の前記上カバーの手部・足部マ
ッサージ器を向く面において、内へ凹む埋め込み溝が設置され、前記吸気・排気装置が、
第一接続部を含み、前記第一接続部が前記埋め込み溝がら伸び出し、前記手部・足部マッ
サージ器が、前記主体の前記上カバーと前記主体台座との間に位置しており、
前記手部・足部マッサージ器が、マッサージ器の上カバー、マッサージ器の底カバー及び
エアバッグ素子を含み、前記マッサージ器の上カバーが前記マッサージ器の底カバーと結
合し、前記エアバッグ素子が、前記マッサージ器の上カバーと前記マッサージ器の底カバ
ーとの間に設置され、且つ、前記エアバッグ素子と前記マッサージの上カバーに開口が設
置されており、前記エアバッグ素子に、第二エアパイプが接続され、前記第二エアパイプ
の先端に一つのコネクターが接続されており、
前記マッサージ器の底カバーにおける主体を向く面に、外へ突出する固定ブロックが設置
され、前記コネクターが前記固定ブロック内に固定されて取り付けられており、前記手部
・足部マッサージ器が前記主体と組み立てられる場合、前記マッサージ器の底カバー上の
前記固定ブロックが前記主体の上カバーの埋め込み溝内に嵌め込まれ、且つ、前記第一接
続部が前記コネクターに接続する、
ことを特徴とする単独に使用される分離互換式手・足部マッサージ器。
【請求項２】
前記手部・足部マッサージ器が、モータ、ウォーム、二重ギア、ギアロータリー及びエジ
ェクター・マッサージヘッドを含み、
前記モータが、前記主体台座に固定され、前記ウォームがモータ軸先端に固定されて接続
され、前記二重ギア及び前記ギアロータリーが回転可能に前記主体台座に取り付けられ、
前記ギアロータリーの外側壁に外ギアが設置され、前記二重ギアの中の一つのギアが前記
ウォームとかみ合い、前記二重ギアの他のギアが、前記ギアロータリーの前記外ギアとか
み合い、
前記ギアロータリーの端面は起伏するカム面であり、前記エジェクター・マッサージヘッ
ドの底部の円弧面が、前記ギアロータリーの端面に接触し、前記主体の上カバーの複数の
丸い穴が設置され、前記エジェクター・マッサージヘッドの頂部が、前記丸い穴から伸び
出す、
ことを特徴とする請求項１に記載の単独に使用される分離互換式手・足部マッサージ器。
【請求項３】
前記主体の上カバーと前記主体台座との間に、スプリング・プローブが設置され、前記ス
プリング・プローブが前記主体の上カバーの埋め込み溝内に伸び出し、
前記マッサージ器の底カバーに導電接触点が固定され、前記導電接触点が前記マッサージ
器の前記固定ブロック内に伸び出し、前記手部・足部マッサージ器が前記主体と組み立て
られる場合、前記スプリングプローブが、前記導電接触点に接触する、
ことを特徴とする請求項2に記載の単独に使用される分離互換式手・足部マッサージ器。
【請求項４】
前記吸気・排気装置が、バッテリ、エアポンプ、第一エアパイプ、ソレノイドバルブ及び
主PCBを含み、
前記バッテリ及び前記エアポンプが主PCB板に電気的に接続し、前記エアポンプ、前記バ
ッテリ及び前記ソレノイドが前記主体台座に固定され、前記ソレノイドバルブが入口及び
出口を有し、前記ソレノイドバルブの入口が前記エアポンプに接続し、前記ソレノイドバ
ルブの出口が、前記第一エアパイプを通じて第一継ぎ手に接続する、
ことを特徴とする請求項1に記載の単独に使用される分離互換式手・足部マッサージ器。
【請求項５】
前記吸気・排気装置が、ボタンPCB板を含み、前記ボタンPCB板がエアバッグの前カバーに
取り付けられ、前記ボタンPCB板が前記導電接触点に電気的に接続し、前記ボタンPCB板に
、ボタンが設置され、マッサージ器上のカバーに、対応するボタンが設置されていること
を特徴とする請求項4に記載の単独に使用される分離互換式手・足部マッサージ器。
【請求項６】
前記エアバッグ素子が、エアバッグ前カバー、エアバッグ本体及びエアバッグ底カバーを
含み、前記エアバッグ前カバーが、前記エアバッグ底カバーと結合し、収容キャビティを
形成し、前記エアバッグ本体が前記収容キャビティ内に設置されていることを特徴とする
請求項1に記載の単独に使用される分離互換式手・足部マッサージ器。
【請求項７】
前記エアバッグ素子が、エアバッグ弾性布スリーブを含み、
前記エアバッグ弾性布スリーブが、前記エアバッグ底カバーと前記エアバッグ前カバー内
部に固定され、前記エアバッグ本体が、前記エアバッグ弾性布スリーブに貼り付けられ、
且つ、前記エアバッグ底カバーと前記エアバッグ本体の間に位置することを特徴とする請
求項6に記載の単独に使用される分離互換式手・足部マッサージ器。
【請求項８】
前記手部マッサージ器の開口が頂部に位置していることを特徴とする請求項1に記載の単
独に使用される分離互換式手・足部マッサージ器。
【請求項９】
前記足部マッサージ器の開口が側面壁に位置していることを特徴とする請求項1に記載の
単独に使用される分離互換式手・足部マッサージ器。
【請求項１０】
前記主体台座に、ドーナツ形バックルが取り付けられ、前記手部・足部マッサージ器が、
前記ドーナツ形バックルを通じて、前記主体に固定されていることを特徴とする請求項1
に記載の単独に使用される分離互換式手・足部マッサージ器。